(57)【特許請求の範囲】
【請求項１】
ウエブ１を走行案内する左右のガイドロール２・３間に、択一的に使用されるふたつのコーティングヘッドＡ・Ｂを備えており、
各コーティングヘッドＡ・Ｂは、下側のコーティングロール７と上側のバックアップロール８とをそれぞれ有し、
左右のガイドロール２・３間において、ウエブ１が各コーティングヘッドＡ・Ｂのコーティングロール７とバックアップロール８との間に通されており、
各コーティングヘッドＡ・Ｂには、各バックアップロール８を、これがウエブ１をコーティングロール７に接触させる下降位置と、ウエブ１をコーティングロール７から離して両ガイドロール２・３間のパスラインの上方まで退避させる上昇位置とにわたって昇降させる昇降駆動手段１０をそれぞれ備えており、
ふたつのコーティングヘッドＡ・Ｂのうち、一方のコーティグヘッドが塗工作業中にあるときは、他方のコーティングヘッドのバックアップロール８を前記上昇位置にシフトしておくようにしたことを特徴とするロールコータ。
【発明の詳細な説明】
【０００１】
【産業上の利用分野】
本発明は、ふたつのコーティングヘッドを備えていて、交互に用いる、いわば２ヘッド方式のロールコータに関する。
【０００２】
【従来の技術】
ロールコータでは、コーティングヘッドが１本の場合、塗工液やロールの交換時にラインを全面的にストップさせたのち、交換作業をしなければならず、これらの交換作業に手間取るところに問題がある。
そこで本出願人は、コーティングヘッドを２本並べて用意しておき、一方を使用している間に他方で交換作業をすることを検討した。これによれば、交換作業時間の短縮化を図ることはできる。
【０００３】
【発明が解決しようとする課題】
しかし、使用中のコーティングヘッドに対するウエブのパスラインと、交換後の他方のコーティングヘッドに対するパスラインとが異なる。そのため、ラインを停止したのち、ウエブを一旦カットして交換作業済みのコーティングヘッドにウエブを通し、次いでウエブの切断端どうしをつなぎ直さなければならない。従って、この点の労力はなお解消されていない。現実には、ラインを止めてウエブを一旦カットすると、ライン全体のウエブのテンション調節もやり直す必要があり、これが大変な手間となっている。
そこで本発明の目的は、ウエブの走行を停止させずにコーティングヘッド側の交換作業が手際良く行えるロールコータを得るにある。
【０００４】
【課題を解決するための手段】
本発明のロールコータは、図１および図２に示すごとくウエブ１を走行案内する左右のガイドロール２・３間に、ふたつのコーティングヘッドＡ・Ｂを備えていること、
各コーティングヘッドＡ・Ｂは、下側のコーティングロール７と上側のバックアップロール８とをそれぞれ有すること、
左右のガイドロール２・３間において、ウエブ１が各コーティングヘッドＡ・Ｂのコーティングロール７とバックアップロール８との間に通されていること、
各コーティングヘッドＡ・Ｂには、各バックアップロール８を、これがウエブ１をコーティングロール７に接触させる下降位置と、ウエブ１をコーティングロール７から離して両ガイドロール２・３間のパスラインの上方まで退避させる上昇位置とにわたって昇降させる昇降駆動手段１０をそれぞれ備えていることを要件とする。
【０００５】
【作用】
いま図１は、左側コーティングヘッドＡでウエブ１への塗工作業中であり、右側コーティングヘッドＢでは塗工作業が行われていない。従って、左側コーティングヘッドＡのバックアップロール８は下降しており、右側コーティングヘッドＢのバックアップロール８は上昇している。この状態で右側コーティングヘッドＢにおいて、塗工液５や構成ロールの交換作業を行う。
右側コーティングヘッドＢにおける上記の交換作業が終わると、これのバックアップロール８を下降させて行き、ウエブ１をコーティングロール７に接触させる。ウエブ１が右側のコーティングロール７に接触するのと相前後して、左側コーティングヘッドＡのバックアップロール８を上昇させ、図２の状態にする。これで右側コーティングヘッドＢのみでウエブ１への塗工作業が行われ、左側コーティングヘッドＡが交換待機状態に切り替わる。
これらの交換作業中にも、ウエブ１は左右のガイドロール２・３に案内されて走行し続けている。
【０００６】
【発明の効果】
かかる本発明によれば、左右のガイドロール２・３に案内したウエブ１が、両ガイドロール２・３間のコーティングヘッドＡ・Ｂにそれぞれ通されており、両コーティングヘッドＡ・Ｂは一方が塗工しているときは他方が交換待機状態に切り替えられるものとした。従って、ウエブ１は常に走行させて塗工しながら、その間に待機状態にあるコーティングヘッドにおいて塗工液５やロールなどを予め交換でき、この交換作業が一切の支障を生じることなく短時間で手軽に行える。
【０００７】
【実施例】
図１および図２は本発明に係るロールコータの第１実施例を示す
ウエブ１は多数のガイドロール群に案内されて、図中の矢印方向に走行する。ガイドロール群のうち、下側左右のガイドロール２・３は左右方向に離れていてほぼ同一高さ位置にある。
両ガイドロール２・３間には、左右にふたつのコーティングヘッドＡ・Ｂを備えている。図の各コーティングヘッドＡ・Ｂはグラビアコータのそれであり、塗工液５のパン６、グラビアロールからなるコーティングロール７、コーティングロール７にウエブ１を押圧するバックアップロール８、コーティングロール７の外周面に接当作用するドクターブレード９などを含む公知のものである。
【０００８】
各コーティングヘッドＡ・Ｂにおいて、下側のコーティングロール７に対して上側のバックアップロール８は、昇降駆動手段１０で上下方向に駆動される。すなわち昇降駆動手段１０は、バックアップロール８をこれがウエブ１をコーティングロール７に接触させる下降位置と、ウエブ１をコーティングロール７から離して両ガイドロール２・３間のパスラインの上方にまで退避させる上昇位置とにわたって昇降駆動する。
【０００９】
すなわちウエブ１は両コーティングヘッドＡ・Ｂに通してあり、両ガイドロール２・３間におけるウエブ１に対して下側にコーティングロール７が、上側にバックアップロール８がそれぞれ位置する。
かくして両コーティングヘッドＡ・Ｂは択一的に使用する。すなわち、いま左側コーティングヘッドＡが塗工作業中にあるときは、図１に示すごとく右側コーティングヘッドＢのバックアップロール８を上方の待機位置にシフトしておき、左側コーティングヘッドＡから出たウエブ１が右側コーティングヘッドＢのコーティングロール７およびバックアップロール８間を両ロール７・８に接触しないように通して右側のガイドロール３に直接案内する。この状態での塗工液５や構成ロールの交換を要する場合は、ウエブ１はそのまま走行させながら、事前に右側コーティングヘッドＢにおいて必要な交換作業を行う。
【００１０】
この交換作業が終わると、先ず右側コーティングヘッドＢにおいて、バックアップロール８を下降させて所定のニップ圧でウエブ１をコーティングロール７に圧接する。この圧接が完了した時点、好ましくはその直前に左側コーティングヘッドＡのバックアップロール８を上昇させ、最終的に該バックアップロール８を待機位置にシフトする。これで右側コーティングヘッドＢによる塗工に切り替わる。
右側コーティングヘッドＢによる塗工中は、ウエブ１が図２に示すごとく左側のガイドロール２から左側コーティングヘッドＡにおけるコーティングロール７とバックアップロール８との間を両ロール７・８に接触させずに通して右側コーティングヘッドＢに導き、次に右側のガイドロール３に案内する。
【００１１】
次のウエブ１側の条件による前記交換作業は待機中にある左側コーティングヘッドＡにおいて前述したと同様の要領で行うことになる。
このように、塗工液５などの交換はウエブ１の走行を停止させることなく瞬時に行える。従って多品種小ロッドの塗工処理を行うのに適している。
【００１２】
図３は本発明に係るロールコータの第２実施例として２本ロールキスコータが挙がっており、これは塗工液５が入るパン６、ピックアップロール１１、アプリケータロールとしてのコーティングロール７、コーティングロール７に作用するエッジドクタ１２、接触用ロールとしてのバックアップロール８を含む公知のものである。この場合のバックアップロール８はウエブ１をはさんでコーティングロール７に直接に圧接しないが、ウエブ１をコーティングロール７に接触させるためのロールであるから、これも本発明ではバックアップロール８の概念に含ませてある。
この第２実施例においても、バックアップロール８を前述したと同じ要領で昇降駆動手段１０により上下動させることになる。
その他、本発明は通常の３本ロールコータなど全ての可能なものを対象とすることは言うまでもない。
【図面の簡単な説明】
【図１】左側のコーティングヘッドで塗工している状態での全体の概略正面図である。
【図２】右側のコーティングヘッドで塗工している状態での全体の概略正面図である。
【図３】本発明の別実施例を示す要部の概略正面図である。
【符号の説明】
１  ウエブ
２  ガイドロール
３  ガイドロール
５  塗工液
７  コーティングロール
８  バックアップロール
１０  昇降駆動手段
Ａ  左側コーティングヘッド
Ｂ  右側コーティングヘッド
【図１】
0003600251.tif 000002
【図２】
0003600251.tif 000003
【図３】
0003600251.tif 000004